(57)【要約】      （修正有）【課題】製造工程を、増やさず付加価値のあるブロックを製造するための型枠部品を提供する。【解決手段】コンクリ−ト即脱成形によるブロック製造用型枠において、製品の空洞部分を作る型枠部品の形状により、製品空洞の形状が決まることから、製品の空洞部分を、丸・三角・四角・トランプの４つのマ−ク・星形・動物の形・花の形にする型枠部品である。型枠部品の形通りにブロックの空洞部が出来るため、部品の模様や形を変えればいろいろな穴の形を持つブロックの製造ができる。【選択図】図４
0003150205.tif 000002
【実用新案登録請求の範囲】
【請求項１】
コンクリ−ト即脱成形（スランプゼロで、型枠内で振動とプレスにより形を作り、直ぐに型枠から出し、出した形を壊さないようにセメントを硬化させ完成させる製造法）により製造されたコンクリ−ト製品（通称ブロック）の中の、建築用コンクリ−トブロックを施工するときに、鉄筋とモルタルを挿入する目的、もしくは建築用コンクリ−トブロックを軽量化するために、中間部を空洞化する。建築用コンクリ−トブロック以外のブロック製品でも、施工の目的及び軽量化のために、ブロック製品の中間部を空洞化する。その空洞化するために使われる型枠部品に、いろいろな模様や形を付け、製品の見た目に変化を持たせるために考案した、コンクリ−ト即脱成形製品を製造するための型枠部品である。
【考案の詳細な説明】
【考案の詳細な説明】
【技術分野】
【０００１】  本考案は、コンクリ−ト即脱成形製品（以後、ブロックと呼ぶ）の空洞部に模様や形を付ける型枠部品である。
【背景技術】
【０００２】  一般的に流通しているブロックの中で最も多く使われているものは、正式名を建築用コンクリ−トブロックと呼び、通称三穴空洞ブロック（図５・図６参照）とも呼ばれ、塀を作ることを主な目的としている。中央部に三つの長方形の穴があり、ブロックを積み上げる施工の時に鉄筋やモルタルを挿入する役割と、ブロックを軽量化するための二つの役割がある。また、化粧ブロックと呼ばれる外側に加工を施し外見がきれいなタイプの建築用コンクリ−トブロックもあるが、構造は三穴空洞ブロックと同じで、空洞部は、積み上げる施工の目的と軽量化する目的にある。【０００３】  積み上げて塀を作るタイプのブロックではなく、花壇や縁石に使用されるブロックなど、特殊な形状のブロックにも空洞部があるが、軽量化や施工のためにあけられたものであり、空洞の形自体に意味はなく、四角や丸など製造しやすい形や、外側のブロック形状に沿った形である。
【考案が解決しようとする課題】
【０００４】  普通のブロックは塀を作るため考えられたものであり、空洞はブロックを積み上げるための機能を満足すれば施工後に見えなくなるため、空洞の形状には全く関心が持たれていない。花壇などに使うブロックでも、空洞は軽量化のためであり、ブロックを並べるときには空洞を見えないようにする。
【０００５】  この考案は、ブロックの空洞部が外から見える施工を想定したとき、空洞部にいろいろな模様や形を付ければ、空洞部の機能だけではなく、見た目にもブロックに変化を持たせられブロックに付加価値を付けることができる。
【考案が解決するための手段】
【０００６】  建築用コンクリ−トブロック（三穴空洞ブロック）を例に取ると、三穴空洞ブロックはＪＩＳ認証を受けた製品がほとんどのため、製造する型枠はＪＩＳ規格に製品が合うように作られている。空洞部を作る部品（図１・図２参照）の形状も他の部品と同じく、製品のＪＩＳ規格が合うようにするため、各社ほぼ同じ形状で出来ている。当然の事ながら、製品の形状は各社ほぼ共通の三穴空洞のブロック（図５・図６参照）になる。
【０００７】  ＪＩＳの規格を考えずに、空洞部を作る部品の形を、星形やハ−ト形、動物の形や花の形などいろいろな形状にすることで、製品の空洞に模様や形を付けられる。
【考案を実施するための最良の形態】
【０００８】  製造は、通常のブロックを製造する工程と変わりはなく、空洞部を作る型枠部品が違うだけである。【０００９】  図１・図２は普通の三穴空洞ブロックの空洞を作るための型枠部品である。図１・図２を使い製造されたブロックが図５・図６である。【００１０】  考案した空洞を作る型枠部品の一例が、図３・図４の部品である。トランプ柄の形の空洞を作るために考案した型枠部品である。この部品を使ったブロックが図７・図８である。【００１１】  空洞部を作る部品の形通りに、ブロックの空洞部が出来るため、部品の模様や形を変えれば、いろいろな穴の形を持つブロックの製造が出来る。
【考案の効果】
【００１２】  この考案により、製造工程を増やすことなく製造時に使われている部品の柄や形状を変えるだけで、ブロックに付加価値を付けることが出来る。
【図面の簡単な説明】
【図１】  三穴空洞ブロック型枠の簡略図の半分を、上部から見たものである。
【図２】  三穴空洞ブロックの空洞を作る型枠部品を、斜め上から見たものである。
【図３】  考案した部品を使ったブロック型枠の簡略図の半分を、上部から見たものである。
【図４】  考案したブロックの空洞部を作る型枠部品を、斜め上から見たものである。
【図５】  三穴空洞ブロックの空洞を作る型枠（図１）を使い、製造した三穴空洞ブロックを上部から見たものである。
【図６】  三穴空洞ブロックの空洞を作る型枠（図１）を使い、製造した三穴空洞ブロックを斜め上から見たものである。
【図７】  考案したブロックの部品を使った型枠（図３）で、製造した製品を上部から見たものである。
【図８】  考案したブロックの部品を使った型枠（図３）で、製造した製品を斜め上から見たものである。
【符号の説明】
▲１▼三穴空洞を作る部品
▲２▼ブロックが出来る部分
▲３▼考案した空洞を作る部品の一例
【図１】
0003150205.tif 000003
【図２】
0003150205.tif 000004
【図３】
0003150205.tif 000005
【図４】
0003150205.tif 000006
【図５】
0003150205.tif 000007
【図６】
0003150205.tif 000008
【図７】
0003150205.tif 000009
【図８】
0003150205.tif 000010
【手続補正書】
【提出日】平成20年9月17日(2008.9.17)
【手続補正１】
【補正対象書類名】実用新案登録請求の範囲
【補正対象項目名】全文
【補正方法】変更
【補正の内容】
【実用新案登録請求の範囲】
【請求項１】
コンクリート即脱成形（スランプゼロで、型枠内で振動とプレスにより形を作り、直ぐに型枠から出し、出した形を壊さないようにセメントを硬化させ完成させる製造法）で製造するコンクリートブロック製造用型枠において、製品の空洞部分を作る型枠部品の形状により、製品空洞の形状が決まることから、製品の空洞部分をいろいろな形状にするために考案した、中子と呼ばれている空洞部を作る型枠部品。
【手続補正書】
【提出日】平成20年11月21日(2008.11.21)
【手続補正１】
【補正対象書類名】実用新案登録請求の範囲
【補正対象項目名】全文
【補正方法】変更
【補正の内容】
【実用新案登録請求の範囲】
【請求項１】
コンクリ−ト即脱成形によるブロック製造用型枠において、製品の空洞部分を作る型枠部品の形状により、製品空洞の形状が決まることから、製品の空洞部分を、丸・三角・四角・トランプの４つのマ−ク・星形・動物の形・花の形にするために考案した、中子と呼ばれている空洞部を作る型枠部品。
【手続補正書】
【提出日】平成21年2月4日(2009.2.4)
【手続補正１】
【補正対象書類名】実用新案登録請求の範囲
【補正対象項目名】全文
【補正方法】変更
【補正の内容】
【実用新案登録請求の範囲】
【請求項１】
コンクリート即脱成形によるブロック製造用型枠において、製品の空洞部分を作る型枠部品の形状により、製品空洞の形状が決まることから、製品の空洞部分を、丸・三角・四角・トランプの４つのマーク・星形・動物の形・花の形にする型枠部品。